(57)【要約】【課題】既存の扉に対してオートロック機構を取り付けることが容易な錠制御ユニット、この錠制御ユニットを用いた電気錠付扉、及び電源制御システムを提供する。【解決手段】扉２の錠を解錠する錠機構１０２と、扉２の内面２４に取り付けられる導電性の第一把持部２１３に電気的に接続可能にされ、第一把持部２１３から得られる電気信号に基づいて第一把持部２１３にユーザが触れたことを検出する接触検知部１７と、接触検知部１７によってユーザが第一把持部２１３に触れたことが検出されたとき、錠機構１０２によって扉２を解錠させるオートロック制御部１４２と、これらを扉２に取り付け可能に収容する筐体１０とを備え、扉２にはその厚み内に錠本体２２が収納され、錠本体２２には、駆動キー１２２と係合する錠側係合部２２５が設けられ、錠機構１０２は、駆動キー１２２を駆動することによって錠本体２２を解錠させる。【選択図】図３
2019206794.tif 000002
【特許請求の範囲】
【請求項１】
扉に取り付け可能に構成され、前記扉の錠を制御するための錠制御ユニットであって、
前記錠を解錠する解錠機構と、
前記扉の内側に取り付けられる導電性の第一把持部に電気的に接続可能にされ、前記第一把持部から得られる電気信号に基づいて前記第一把持部にユーザが触れたことを検出する接触検知部と、
前記接触検知部によってユーザが前記第一把持部に触れたことが検出されたとき、前記解錠機構によって前記扉の錠を解錠させるオートロック制御部と、
前記解錠機構、前記接触検知部、及び前記オートロック制御部を、前記扉に取り付け可能に収容する筐体とを備え、
前記扉には、その厚み内に前記扉を施錠及び解錠する錠本体が収納され、
前記錠本体には、前記施錠及び解錠するための駆動力を受け付ける錠側係合部が設けられ、
前記解錠機構は、前記錠側係合部と係合する係合部を備え、前記係合部を駆動することによって前記錠本体を解錠させる錠制御ユニット。
【請求項２】
前記筐体には、前記扉を厚さ方向に貫通して前記第一把持部と前記扉の外側に取り付けられる第二把持部とを連結するための軸部が、貫通可能な貫通孔が形成されている請求項１記載の錠制御ユニット。
【請求項３】
前記第一把持部と、
前記扉の外側に取り付けられる第二把持部と、
前記扉を厚さ方向に貫通して前記第一把持部と前記第二把持部とを連結するための軸部と、
前記第一把持部と前記第二把持部とを絶縁する絶縁部とをさらに備える請求項１又は２記載の錠制御ユニット。
【請求項４】
前記第一把持部は、前記絶縁部を介して前記軸部の先端部と嵌合する嵌合部と連結されている請求項３記載の錠制御ユニット。
【請求項５】
前記第一把持部と、
前記扉の外側に取り付けられる第二把持部と、
前記扉を厚さ方向に貫通して前記第一把持部と前記第二把持部とを連結するための軸部とをさらに備え、
前記第二把持部及び前記軸部のうち少なくとも一つが絶縁材料を用いて構成されている請求項１記載の錠制御ユニット。
【請求項６】
前記第一把持部と前記接触検知部とは、前記軸部内に挿通され、かつ当該軸部と電気的に絶縁された導電部材によって電気的に接続されている請求項２〜５のいずれか１項に記載の錠制御ユニット。
【請求項７】
前記第二把持部は絶縁材料を用いて構成され、
前記軸部の少なくとも一部は導電性を有し、
前記接触検知部は、前記軸部を介して前記第一把持部と電気的に接続されている請求項５記載の錠制御ユニット。
【請求項８】
前記錠を施錠する施錠機構をさらに備え、
前記オートロック制御部は、前記解錠機構によって前記扉の錠を解錠させてから予め設定された接触監視時間の間、前記接触検知部によってユーザが前記第一把持部に触れていることが検知されたとき、前記施錠機構によって前記錠を施錠させる請求項１〜７のいずれか１項に記載の錠制御ユニット。
【請求項９】
前記錠を施錠する施錠機構と、
前記扉の開閉を検知する開閉検知部とをさらに備え、
前記オートロック制御部は、前記解錠機構によって前記扉の錠を解錠させてから予め設定された開閉監視時間の間に、前記開閉検知部によって前記扉が開いたことが検知されなかったとき、前記施錠機構によって前記錠を施錠させる請求項１〜８のいずれか１項に記載の錠制御ユニット。
【請求項１０】
前記オートロック制御部は、前記開閉検知部によって、前記開閉監視時間の間に前記扉が開いたことが検知され、その後に前記扉が閉じたことが検知されたとき、前記施錠機構によって前記錠を施錠させる請求項９記載の錠制御ユニット。
【請求項１１】
前記扉の外側に設けられ、ユーザを認証するための認証情報を取得する認証情報取得部と、
前記第一把持部に電気的に接続され、前記第一把持部へ無線送信用の信号を出力することにより、前記第一把持部から無線信号を送信させる無線送信部と、
前記認証情報に基づく認証が成功した場合、前記解錠機構によって前記錠を解錠させる錠制御部とをさらに備え、
前記筐体は、前記認証情報取得部、前記無線送信部、及び前記錠制御部をさらに収容すると共に前記扉の外側に取り付け可能にされており、
前記錠制御部は、所定の条件が満たされた場合、前記無線送信部によって、前記第一把持部から所定の第一無線信号を送信させ、
前記条件は、前記認証が成功することを含む請求項１〜１０のいずれか１項に記載の錠制御ユニット。
【請求項１２】
前記扉の開閉を検知する開閉検知部をさらに備え、
前記条件は、前記認証が成功し、かつ前記錠を解錠させた後に前記開閉検知部によって前記扉が開いたことが検知されることである請求項１１に記載の錠制御ユニット。
【請求項１３】
前記扉の開閉を検知する開閉検知部をさらに備え、
前記条件は、前記認証が成功し、かつ前記錠を解錠させた後に、前記開閉検知部によって前記扉が開いてから閉まったことが検知されることである請求項１１に記載の錠制御ユニット。
【請求項１４】
前記錠制御部は、前記接触検知部によってユーザが前記第一把持部に触れたことが検出されたとき、前記無線送信部によって、前記第一把持部から前記第一無線信号とは異なる第二無線信号を送信させる請求項１１〜１３のいずれか１項に記載の錠制御ユニット。
【請求項１５】
前記錠制御部は、前記接触検知部によってユーザが前記第一把持部に触れたことが検出されてから前記開閉検知部によって前記扉が開いたことが検知されたとき、前記無線送信部によって、前記第一把持部から前記第一無線信号とは異なる第二無線信号を送信させる請求項１１〜１３のいずれか１項に記載の錠制御ユニット。
【請求項１６】
前記錠制御部は、前記接触検知部によってユーザが前記第一把持部に触れたことが検出されてから前記開閉検知部によって前記扉が開いたことが検知され、その後に前記開閉検知部によって前記扉が閉じたことが検知されたとき、前記無線送信部によって、前記第一把持部から前記第一無線信号とは異なる第二無線信号を送信させる請求項１１〜１３のいずれか１項に記載の錠制御ユニット。
【請求項１７】
前記認証情報取得部は、虹彩認証のための虹彩画像を前記認証情報として取得する請求項１１〜１６のいずれか１項に記載の錠制御ユニット。
【請求項１８】
扉の錠を制御するための錠制御ユニットであって、
前記錠を解錠する解錠機構と、
前記扉の外側に設けられ、ユーザを認証するための認証情報を取得する認証情報取得部と、
前記扉の内側に取り付けられる導電性の第一把持部に電気的に接続され、前記第一把持部へ無線送信用の信号を出力することにより、前記第一把持部から無線信号を送信させる無線送信部と、
前記認証情報に基づく認証が成功した場合、前記解錠機構によって前記錠を解錠させる錠制御部と、
前記解錠機構、前記認証情報取得部、前記無線送信部、及び前記錠制御部を、前記扉の外側に取り付け可能に収容する筐体とを備え、
前記扉には、その厚み内に前記扉を施錠及び解錠する錠本体が収納され、
前記錠本体には、前記施錠及び解錠するための駆動力を受け付ける錠側係合部が設けられ、
前記解錠機構は、前記錠側係合部と係合する係合部を備え、前記係合部を駆動することによって前記錠本体を解錠させ、
前記錠制御部は、所定の条件が満たされた場合、前記無線送信部によって、前記第一把持部から所定の第一無線信号を送信させ、
前記条件は、前記認証が成功することを含む錠制御ユニット。
【請求項１９】
前記扉の開閉を検知する開閉検知部をさらに備え、
前記条件は、前記認証が成功し、かつ前記錠を解錠させた後に前記開閉検知部によって前記扉が開いたことが検知されることである請求項１８に記載の錠制御ユニット。
【請求項２０】
前記扉の開閉を検知する開閉検知部をさらに備え、
前記条件は、前記認証が成功し、かつ前記錠を解錠させた後に、前記開閉検知部によって前記扉が開いてから閉まったことが検知されることである請求項１８に記載の錠制御ユニット。
【請求項２１】
請求項１〜２０のいずれか１項に記載の錠制御ユニットと、
前記錠制御ユニットが取り付けられた扉とを備える電気錠付扉。
【請求項２２】
請求項１１〜２０のいずれか１項に記載の錠制御ユニットと、
前記扉が取り付けられた部屋の室内に取り付けられるための電源制御装置とを備え、
前記電源制御装置は、
前記無線信号を受信する受信部と、
電力供給をオン、オフするスイッチ部と、
前記受信部によって前記第一無線信号が受信されたとき、前記スイッチ部をオンする電源制御部とを備える電源制御システム。
【請求項２３】
請求項１４〜１６のいずれか１項に記載の錠制御ユニットと、
前記扉が取り付けられた部屋の室内に取り付けられるための電源制御装置とを備え、
前記電源制御装置は、
前記無線信号を受信する受信部と、
電力供給をオン、オフするスイッチ部と、
前記受信部によって前記第二無線信号が受信されたとき、前記スイッチ部をオフする電源制御部とを備える電源制御システム。
【発明の詳細な説明】
【技術分野】
【０００１】
本発明は、扉に取り付け可能な錠制御ユニット、この錠制御ユニットを用いた電気錠付扉、及び電源制御システムに関する。
【背景技術】
【０００２】
従来より、部屋の外部に対してのみオートロックされ、内側からはドアのノブを操作するだけで扉が開くようにされたオートロック機構が知られている（例えば、特許文献１参照。）。このようなオートロック機構は、例えばホテルの部屋などに広く用いられている。
【先行技術文献】
【特許文献】
【０００３】
【特許文献１】特開平７−２９３０７３号公報
【発明の概要】
【発明が解決しようとする課題】
【０００４】
ところで、上述のようなオートロック機構を備えていない扉に、内側からはドアのノブを操作するだけで扉が開くオートロック機構を取り付けたい場合がある。このような場合、扉自体を交換するか、あるいは扉にこのようなオートロック機構を取り付けるためには、扉を大幅に加工、改造しなければならないという、不都合があった。
【０００５】
本発明の目的は、既存の扉に対してオートロック機構を取り付けることが容易な錠制御ユニット、この錠制御ユニットを用いた電気錠付扉、及び電源制御システムを提供することである。
【課題を解決するための手段】
【０００６】
本発明に係る錠制御ユニットは、扉に取り付け可能に構成され、前記扉の錠を制御するための錠制御ユニットであって、前記錠を解錠する解錠機構と、前記扉の内側に取り付けられる導電性の第一把持部に電気的に接続可能にされ、前記第一把持部から得られる電気信号に基づいて前記第一把持部にユーザが触れたことを検出する接触検知部と、前記接触検知部によってユーザが前記第一把持部に触れたことが検出されたとき、前記解錠機構によって前記扉の錠を解錠させるオートロック制御部と、前記解錠機構、前記接触検知部、及び前記オートロック制御部を、前記扉に取り付け可能に収容する筐体とを備え、前記扉には、その厚み内に前記扉を施錠及び解錠する錠本体が収納され、前記錠本体には、前記施錠及び解錠するための駆動力を受け付ける錠側係合部が設けられ、前記解錠機構は、前記錠側係合部と係合する係合部を備え、前記係合部を駆動することによって前記錠本体を解錠させる。
【０００７】
この構成によれば、扉の内側に取り付けられる導電性の第一把持部にユーザが触れると、接触検知部によってユーザが第一把持部に触れたことが検出される。ユーザが扉の内側の第一把持部に触れた場合、そのユーザは、部屋から外に出るべく扉を開けようとしている可能性が高い。そこで、オートロック制御部によれば、接触検知部によってユーザが第一把持部に触れたことが検出されたとき、解錠機構によって扉の錠を解錠させる。これにより、内側からは扉のハンドルを操作するだけで扉が開くオートロック機構が実現される。また、錠制御ユニットは、解錠機構、接触検知部、及びオートロック制御部を扉に取り付け可能に収容する筐体を備え、解錠機構は、いわゆる箱錠と称される錠本体の錠側係合部と係合する係合部を備えているので、既存の扉に筐体に収容された錠制御ユニットを取り付け、既存の扉が備える錠本体の錠側係合部と係合部とを係合させることによって、既存の扉に錠制御ユニットを容易に取り付けることができる。従って、既存の扉に対してオートロック機構を取り付けることが容易となる。
【０００８】
また、前記筐体には、前記扉を厚さ方向に貫通して前記第一把持部と前記扉の外側に取り付けられる第二把持部とを連結するための軸部が、貫通可能な貫通孔が形成されていることが好ましい。
【０００９】
この構成によれば、第一把持部に連結される軸部が筐体の貫通孔を通るので、軸部を利用して第一把持部と筐体内の接触検知部とを電気的に接続することが容易である。
【００１０】
また、前記第一把持部と、前記扉の外側に取り付けられる第二把持部と、前記扉を厚さ方向に貫通して前記第一把持部と前記第二把持部とを連結するための軸部と、前記第一把持部と前記第二把持部とを絶縁する絶縁部とをさらに備えることが好ましい。
【００１１】
この構成によれば、絶縁部によって第一把持部が第二把持部から絶縁されるので、ユーザが扉の外側の第二把持部に触れた場合に、接触検知部が誤ってユーザが第一把持部に触れたことを検出してしまうことが防止される。
【００１２】
また、前記第一把持部は、前記絶縁部を介して前記軸部の先端部と嵌合する嵌合部と連結されていることが好ましい。
【００１３】
この構成によれば、嵌合部に軸部を嵌合させて取り付けることで、第一把持部と第二把持部とが連結され、かつ第一把持部と第二把持部とを絶縁することができるので、第一把持部と第二把持部とを連結しつつ、第一把持部と第二把持部とを絶縁することが容易である。
【００１４】
また、前記第一把持部と、前記扉の外側に取り付けられる第二把持部と、前記扉を厚さ方向に貫通して前記第一把持部と前記第二把持部とを連結する軸部とをさらに備え、前記第二把持部及び前記軸部のうち少なくとも一つが絶縁材料を用いて構成されていることが好ましい。
【００１５】
この構成によれば、第二把持部及び軸部のうち少なくとも一つが絶縁材料を用いて構成されているので、ユーザが第二把持部に触れた場合であっても、ユーザが第二把持部に触れたことに起因する電気信号が第一把持部へ流れることがない。従ってユーザが扉の外側の第二把持部に触れた場合に、接触検知部が誤ってユーザが第一把持部に触れたことを検出してしまうことが防止される。
【００１６】
また、前記第一把持部と前記接触検知部とは、前記軸部内に挿通され、かつ当該軸部と電気的に絶縁された導電部材によって電気的に接続されていることが好ましい。
【００１７】
この構成によれば、既存の扉に取り付けられる軸部の代わりに、導電部材が挿通された軸部を取り付けることにより、第一把持部と接触検知部とを電気的に接続することができるので、既存の扉に錠制御ユニットを取り付けて、第一把持部と接触検知部とを電気的に接続することが容易である。
【００１８】
また、前記第二把持部は絶縁材料を用いて構成され、前記軸部の少なくとも一部は導電性を有し、前記接触検知部は、前記軸部を介して前記第一把持部と電気的に接続されていることが好ましい。
【００１９】
この構成によれば、第二把持部は絶縁材料を用いて構成されているので、ユーザが第二把持部に触れた場合であっても、ユーザが第二把持部に触れたことに起因する電気信号が第一把持部へ流れることがない。従ってユーザが扉の外側の第二把持部に触れた場合に、接触検知部が誤ってユーザが第一把持部に触れたことを検出してしまうことが防止される。さらに、既存の扉に取り付けられる軸部の代わりに、少なくとも一部が導電性を有する軸部に交換することによって、接触検知部を、軸部を介して第一把持部と電気的に接続することができるので、既存の扉に錠制御ユニットを取り付けて、第一把持部と接触検知部とを電気的に接続することが容易である。
【００２０】
また、前記錠を施錠する施錠機構をさらに備え、前記オートロック制御部は、前記解錠機構によって前記扉の錠を解錠させてから予め設定された接触監視時間の間、前記接触検知部によってユーザが前記第一把持部に触れていることが検知されたとき、前記施錠機構によって前記錠を施錠させることが好ましい。
【００２１】
ユーザが長時間第一把持部を握り続けている場合、扉を開ける意思がないと考えられる。そこで、オートロック制御部は、扉が解錠されてから接触監視時間の間、接触検知部によってユーザが第一把持部に継続的に触れていることが検知されたときに錠機構によって扉を施錠させることにより、ユーザが扉を開ける意思がない場合に扉が施錠されるので、部屋のセキュリティが向上する。
【００２２】
また、前記錠を施錠する施錠機構と、前記扉の開閉を検知する開閉検知部とをさらに備え、前記オートロック制御部は、前記解錠機構によって前記扉の錠を解錠させてから予め設定された開閉監視時間の間に、前記開閉検知部によって前記扉が開いたことが検知されなかったとき、前記施錠機構によって前記錠を施錠させることが好ましい。
【００２３】
扉が解錠されてから開閉監視時間の間に、開閉検知部によって扉が開いたことが検知されなかった場合、ユーザは第一把持部に触れただけで扉を開けなかったと考えられる。そこで、このような場合、オートロック制御部は、施錠機構によって錠を施錠させる。これにより、ユーザは第一把持部に触れただけで扉を開けなかった場合に扉が解錠されたままになることが防止されるので、セキュリティが向上する。
【００２４】
また、前記オートロック制御部は、前記開閉検知部によって、前記開閉監視時間の間に前記扉が開いたことが検知され、その後に前記扉が閉じたことが検知されたとき、前記施錠機構によって前記錠を施錠させることが好ましい。
【００２５】
開閉検知部によって開閉監視時間の間に扉が開いたことが検知され、その後に扉が閉じたことが検知された場合、ユーザが第一把持部を操作して扉を開け、扉の外に出て扉を閉めたと考えられる。従って、この構成によれば、ユーザが扉の外に出た場合に自動的に扉を施錠するオートロック機構を実現できる。
【００２６】
また、前記扉の外側に設けられ、ユーザを認証するための認証情報を取得する認証情報取得部と、前記第一把持部に電気的に接続され、前記第一把持部へ無線送信用の信号を出力することにより、前記第一把持部から無線信号を送信させる無線送信部と、前記認証情報に基づく認証が成功した場合、前記解錠機構によって前記錠を解錠させる錠制御部とをさらに備え、前記筐体は、前記認証情報取得部、前記無線送信部、及び前記錠制御部をさらに収容すると共に前記扉の外側に取り付け可能にされており、前記錠制御部は、所定の条件が満たされた場合、前記無線送信部によって、前記第一把持部から所定の第一無線信号を送信させ、前記条件は、前記認証が成功することを含むことが好ましい。
【００２７】
この構成によれば、扉の外側に設けられた認証情報取得部によってユーザを認証するための認証情報が取得され、認証情報に基づく認証が成功した場合、解錠機構によって錠が解錠される。従って、既存の扉に錠制御ユニットを取り付けることで、既存の扉を、ユーザ認証により解錠可能にすることができる。また、認証が成功した場合に、無線送信部によって、扉の内側にある第一把持部から所定の第一無線信号が送信されるので、室内に設けられた無線信号の受信装置に対して、扉による減衰を生じさせることなく、かつ扉の外側に対する不要な電波の放射を低減しつつ、第一無線信号を送信することができる。これにより、ユーザが扉の外側の認証情報取得部によって認証情報を取得させたとき、すなわちユーザが室内に入ろうとするとき、第一無線信号が室内に送信されるので、室内において、第一無線信号に応じて、ユーザの入室に対応する処理、動作を行うことが可能となる。例えば、ユーザが部屋に入ったときに照明を点灯させたり電力を供給したりすることが可能となる。
【００２８】
また、前記扉の開閉を検知する開閉検知部をさらに備え、前記条件は、前記認証が成功し、かつ前記錠を解錠させた後に前記開閉検知部によって前記扉が開いたことが検知されることであることが好ましい。
【００２９】
認証が成功した場合であっても、ユーザが扉を開けて中に入るのを止めてしまう場合がある。しかしながら、この構成によれば、認証が成功し、かつ錠を解錠させた後に開閉検知部によって扉が開いたことが検知された場合に、第一無線信号が送信されるので、ユーザが室内に入ったときに第一無線信号を送信する確実性が向上する。
【００３０】
また、前記扉の開閉を検知する開閉検知部をさらに備え、前記条件は、前記認証が成功し、かつ前記錠を解錠させた後に、前記開閉検知部によって前記扉が開いてから閉まったことが検知されることであることが好ましい。
【００３１】
認証が成功し、ユーザが扉を開いた後であっても、ユーザが中に入らない場合がある。しかしながら、この構成によれば、認証が成功し、かつ錠を解錠させた後に、開閉検知部によって扉が開いてから閉まったことが検知された場合に、第一無線信号が送信されるので、ユーザが室内に入ったときに第一無線信号を送信する確実性が向上する。
【００３２】
また、前記錠制御部は、前記接触検知部によってユーザが前記第一把持部に触れたことが検出されたとき、前記無線送信部によって、前記第一把持部から前記第一無線信号とは異なる第二無線信号を送信させることが好ましい。
【００３３】
この構成によれば、ユーザが扉の内側の第一把持部に触れたとき、すなわちユーザが部屋から出ようとしているときは、ユーザが認証により扉の外から中に入ろうとしているときとは異なる第二無線信号が第一把持部から室内へ送信される。従って、室内で第一及び第二無線信号のうちいずれが受信されるかに基づいて、すなわちユーザが中に入るのか外に出るのかに応じて、異なる処理、動作を実行することが可能となる。例えば、室内において、ユーザが中に入ろうとするときに送信される第一無線信号に応じて照明を点灯させたり電力を供給したりし、ユーザが外に出ようとするときに送信される第二無線信号に応じて照明を消灯させたり電力供給を遮断したりすることが可能となる。
【００３４】
また、前記錠制御部は、前記接触検知部によってユーザが前記第一把持部に触れたことが検出されてから前記開閉検知部によって前記扉が開いたことが検知されたとき、前記無線送信部によって、前記第一把持部から前記第一無線信号とは異なる第二無線信号を送信させることが好ましい。
【００３５】
この構成によれば、ユーザが扉の内側の第一把持部に触れたことが検出されてから開閉検知部によって扉が開いたことが検知されたとき、すなわちユーザが部屋から出ようとして扉を開けたとき、ユーザが認証により扉の外から中に入ろうとしているときとは異なる第二無線信号が第一把持部から室内へ送信される。従って、室内で第一及び第二無線信号のうちいずれが受信されるかに基づいて、すなわちユーザが中に入るのか外に出るのかに応じて、異なる処理、動作を実行することが可能となる。また、ユーザが第一把持部に触れて扉を開いたときに第二無線信号が送信されるので、ユーザが扉の内側の第一把持部に触れただけで第二無線信号が送信されるよりも、ユーザが外に出るときに第二無線信号が送信される確実性が向上する。
【００３６】
また、前記錠制御部は、前記接触検知部によってユーザが前記第一把持部に触れたことが検出されてから前記開閉検知部によって前記扉が開いたことが検知され、その後に前記開閉検知部によって前記扉が閉じたことが検知されたとき、前記無線送信部によって、前記第一把持部から前記第一無線信号とは異なる第二無線信号を送信させることが好ましい。
【００３７】
この構成によれば、ユーザが扉の内側の第一把持部に触れたことが検出されてから開閉検知部によって扉が開いたことが検知され、その後に前記開閉検知部によって前記扉が閉じたことが検知されたとき、すなわちユーザが部屋から出ようとして扉を開け、外に出て扉を閉めたとき、ユーザが認証により扉の外から中に入ろうとしているときとは異なる第二無線信号が第一把持部から室内へ送信される。従って、室内で第一及び第二無線信号のうちいずれが受信されるかに基づいて、すなわちユーザが中に入るのか外に出るのかに応じて、異なる処理、動作を実行することが可能となる。また、ユーザが扉の内側の第一把持部に触れたことが検出されてから開閉検知部によって扉が開いたことが検知され、その後に前記開閉検知部によって前記扉が閉じたことが検知されたときに第二無線信号が送信されるので、ユーザが第一把持部に触れて扉を開いたときに第二無線信号が送信されるよりも、ユーザが外に出るときに第二無線信号が送信される確実性が向上する。
【００３８】
また、前記認証情報取得部は、虹彩認証のための虹彩画像を前記認証情報として取得することが好ましい。
【００３９】
この構成によれば、ユーザは、扉を外から虹彩認証により解錠することができるので、扉の鍵やカードキーを持ち歩く必要がなく、利便性が向上する。また、既存の扉に錠制御ユニットを取り付けることにより、虹彩認証に対応させることが可能となるので、既存の扉を虹彩認証に対応させることが容易である。
【００４０】
また、本発明に係る錠制御ユニットは、扉の錠を制御するための錠制御ユニットであって、前記錠を解錠する解錠機構と、前記扉の外側に設けられ、ユーザを認証するための認証情報を取得する認証情報取得部と、前記扉の内側に取り付けられる導電性の第一把持部に電気的に接続され、前記第一把持部へ無線送信用の信号を出力することにより、前記第一把持部から無線信号を送信させる無線送信部と、前記認証情報に基づく認証が成功した場合、前記解錠機構によって前記錠を解錠させる錠制御部と、前記解錠機構、前記認証情報取得部、前記無線送信部、及び前記錠制御部を、前記扉の外側に取り付け可能に収容する筐体とを備え、前記扉には、その厚み内に前記扉を施錠及び解錠する錠本体が収納され、前記錠本体には、前記施錠及び解錠するための駆動力を受け付ける錠側係合部が設けられ、前記解錠機構は、前記錠側係合部と係合する係合部を備え、前記係合部を駆動することによって前記錠本体を解錠させ、前記錠制御部は、所定の条件が満たされた場合、前記無線送信部によって、前記第一把持部から所定の第一無線信号を送信させ、前記条件は、前記認証が成功することを含む。
【００４１】
この構成によれば、扉の外側に設けられた認証情報取得部によってユーザを認証するための認証情報が取得され、認証情報に基づく認証が成功した場合、解錠機構によって錠が解錠される。従って、既存の扉に錠制御ユニットを取り付けることで、既存の扉を、ユーザ認証により解錠可能にすることができる。また、認証が成功した場合に、無線送信部によって、扉の内側にある第一把持部から所定の第一無線信号が送信されるので、室内に設けられた無線信号の受信装置に対して、扉による減衰を生じさせることなく、かつ扉の外側に対する不要な電波の放射を低減しつつ、第一無線信号を送信することができる。これにより、ユーザが扉の外側の認証情報取得部によって認証情報を取得させたとき、すなわちユーザが室内に入ろうとするとき、第一無線信号が室内に送信されるので、室内において、第一無線信号に応じて、ユーザの入室に対応する処理、動作を行うことが可能となる。例えば、ユーザが部屋に入ったときに照明を点灯させたり電力を供給したりすることが可能となる。
【００４２】
また、前記扉の開閉を検知する開閉検知部をさらに備え、前記条件は、前記認証が成功し、かつ前記錠を解錠させた後に前記開閉検知部によって前記扉が開いたことが検知されることであることが好ましい。
【００４３】
認証が成功した場合であっても、ユーザが扉を開けて中に入るのを止めてしまう場合がある。しかしながら、この構成によれば、認証が成功し、かつ錠を解錠させた後に開閉検知部によって扉が開いたことが検知された場合に、第一無線信号が送信されるので、ユーザが室内に入ったときに第一無線信号を送信する確実性が向上する。
【００４４】
また、前記扉の開閉を検知する開閉検知部をさらに備え、前記条件は、前記認証が成功し、かつ前記錠を解錠させた後に、前記開閉検知部によって前記扉が開いてから閉まったことが検知されることであることが好ましい。
【００４５】
認証が成功し、ユーザが扉を開いた後であっても、ユーザが中に入らない場合がある。しかしながら、この構成によれば、認証が成功し、かつ錠を解錠させた後に、開閉検知部によって扉が開いてから閉まったことが検知された場合に、第一無線信号が送信されるので、ユーザが室内に入ったときに第一無線信号を送信する確実性が向上する。
【００４６】
また、本発明係る電気錠付扉は、上述の錠制御ユニットと、前記錠制御ユニットが取り付けられた扉とを備える。
【００４７】
この構成によれば、内側からハンドルを操作するだけで扉が開くオートロック機構を備えた電気錠付扉が実現される。
【００４８】
また、本発明係る電源制御システムは、上述の錠制御ユニットと、前記扉が取り付けられた部屋の室内に取り付けられるための電源制御装置とを備え、前記電源制御装置は、前記無線信号を受信する受信部と、電力供給をオン、オフするスイッチ部と、前記受信部によって前記第一無線信号が受信されたとき、前記スイッチ部をオンする電源制御部とを備える。
【００４９】
この構成によれば、受信部によって第一無線信号が受信されたとき、すなわちユーザが部屋に入るとき、室内に取り付けられた電源制御装置によって電力供給がオンされるので、ユーザの利便性が向上する。
【００５０】
また、本発明係る電源制御システムは、上述の錠制御ユニットと、前記扉が取り付けられた部屋の室内に取り付けられるための電源制御装置とを備え、前記電源制御装置は、前記無線信号を受信する受信部と、電力供給をオン、オフするスイッチ部と、前記受信部によって前記第二無線信号が受信されたとき、前記スイッチ部をオフする電源制御部とを備える。
【００５１】
この構成によれば、受信部によって第二無線信号が受信されたとき、すなわちユーザが部屋から外に出るとき、室内に取り付けられた電源制御装置によって電力供給がオフされるので、省エネルギー性が向上する。
【発明の効果】
【００５２】
このような構成の錠制御ユニット、この錠制御ユニットを用いた電気錠付扉、及び電源制御システムは、既存の扉に対してオートロック機構を取り付けることが容易となる。
【図面の簡単な説明】
【００５３】
【図１】本発明の第一実施形態に係る電気錠付扉の一例を示す斜視図である。
【図２】図１に示す扉の内側の面及び扉が取り付けられた部屋の壁面を、部屋の内側から見た斜視図である。
【図３】図１に示す錠制御ユニット及び扉の、第一ハンドル、第二ハンドル付近の部分拡大図である。
【図４】本発明に係る電源制御システムの主に電気的構成の一例を概念的に示すブロック図である。
【図５】導電部材による接続構造を説明するための説明図である。
【図６】扉の開閉状態の検知方法を説明するための説明図である。
【図７】扉の開閉状態の検知方法を説明するための説明図である。
【図８】図２に示す電源制御装置の構成の一例を示すブロック図である。
【図９】錠制御ユニット及び電源制御システムの動作の一例を示すフローチャートである。
【図１０】錠制御ユニット及び電源制御システムの動作の一例を示すフローチャートである。
【発明を実施するための形態】
【００５４】
以下、本発明に係る実施形態を図面に基づいて説明する。なお、各図において同一の符号を付した構成は、同一の構成であることを示し、その説明を省略する。図１は、本発明の第一実施形態に係る電気錠付扉２０の一例を示す斜視図である。電気錠付扉２０は、扉２に錠制御ユニット１が取り付けられて構成されている。電気錠付扉２０は、開閉検知機能付扉の一例に相当している。錠制御ユニット１は、虹彩認証を行う虹彩認証装置として構成されている。錠制御ユニット１は、扉開閉状態検知ユニットの一例に相当している。
【００５５】
扉２の外側の面である外面２３には、第二ハンドル１２が取り付けられている。錠制御ユニット１は、壁面２０１に取り付けられた扉２の外面２３における第二ハンドル１２付近に取り付けられている。図１に示す扉２は、その長尺方向が建具として鉛直に配置されることが予定された方向（以下、単に上下方向と称する）とされており、扉２の上下方向が鉛直になるように壁面２０１に取り付けられている。
【００５６】
扉２は、例えばホテルの各部屋の扉であってもよく、集合住宅や戸建て住宅の扉であってもよく、ビルの出入口やオフィス内の扉であってもよい。錠制御ユニット１は、種々の扉に取り付けて用いることができるが、特にホテルの各部屋の扉２用の虹彩認証装置として、好適に用いることができる。
【００５７】
錠制御ユニット１は、第二ハンドル１２付近に取り付けられているので、通常、錠制御ユニット１の位置よりも上方にユーザＵの目、すなわち虹彩が位置することになる。なお、子供の目の位置は、錠制御ユニット１の位置より下になる場合があるが、例えば扉２を、ホテルの部屋の扉とした場合、通常宿泊客は大人であるから、錠制御ユニット１の位置よりも上方にユーザＵの目が位置する確率が高くなる。
【００５８】
図２は、図１に示す扉２の内側の面及び扉２が取り付けられた部屋の壁面を、部屋の内側から見た斜視図である。扉２の内側の面である内面２４には、第一ハンドル１１が取り付けられている。部屋内の壁面には、電源制御装置６が取り付けられている。錠制御ユニット１と電源制御装置６とから、電源制御システムの一例が構成されている。
【００５９】
図３は、図１に示す錠制御ユニット１及び扉２の、第一ハンドル１１、第二ハンドル１２付近の部分拡大図である。扉２における第一ハンドル１１、第二ハンドル１２の取付位置付近には、扉２の厚み内に、扉２を施錠及び解錠する錠本体２２が収納されている。
【００６０】
錠本体２２は、いわゆる箱錠（ケースロック）である。錠本体２２は、ユーザＵによる第一ハンドル１１、第二ハンドル１２の操作と連動して進退するラッチボルト２２１、扉２を施錠するためのデッドボルト２２２、ラッチボルト２２１を進退させるための駆動力を第一ハンドル１１、第二ハンドル１２から受け付けるハンドル取付部２２３、デッドボルト２２２を進退させるための駆動力を駆動キー１２２から受け付ける錠側係合部２２５、ハンドル取付部２２３の回動運動をラッチボルト２２１を進退させるための直線運動に変換し、錠側係合部２２５の回動運動をデッドボルト２２２を進退させるための直線運動に変換する図略の伝達機構、及びこれらを収容する略箱状のケース２２７を備えている。
【００６１】
ラッチボルト２２１、及びデッドボルト２２２は、伝達機構により進退することにより、扉２の戸先２５から突出したり、扉２内に引き込まれたりする。
【００６２】
第二ハンドル１２は、ユーザが把持するための略棒状の第二把持部２１０と、第二把持部２１０の一方端部付近から第二把持部２１０の軸方向と垂直な方向に延びる軸部２１とを備えている。軸部２１は、例えば四角柱形状のシャフト２１２と、シャフト２１２を第二把持部２１０に取り付けるための円柱状の取付部２１１とを含む。
【００６３】
錠本体２２のハンドル取付部２２３には、シャフト２１２を貫通させることが可能なシャフト貫通穴２２４が形成されている。シャフト貫通穴２２４の貫通方向と直交する方向の断面形状は、シャフト２１２と嵌合する形状とされている。
【００６４】
第一ハンドル１１は、ユーザが把持するための略棒状の第一把持部２１３と、第一把持部２１３の一方端部付近から第一把持部２１３の軸方向と垂直な方向に延びる円柱状の嵌合部２１４とを備えている。嵌合部２１４には、シャフト２１２の先端部を受け入れる嵌合穴２１５が形成されている。嵌合穴２１５の深さ方向と直交する方向の断面形状は、シャフト２１２の先端部と嵌合する形状とされている。
【００６５】
シャフト２１２及びシャフト貫通穴２２４の大きさ、形状は、扉及び錠業界において事実上、標準規格化されている。従って、既存の扉２に対して、元々取り付けられていたハンドルを取り外し、代わりに標準規格化された形状及び太さのシャフト２１２を備えた第二ハンドル１２と、これに対応する第一ハンドル１１とを取り付けることは容易である。なお、第一把持部２１３及び第二把持部２１０は、ハンドルのユーザが把持するための部分であればよく、棒状に限られず、例えば球状であってもよく、その他の形状であってもよい。
【００６６】
錠制御ユニット１は、上下方向に長尺の略箱状の筐体１０を備えている。筐体１０には、カメラ１０１、及び後述する錠機構１０２、無線送信部１８、接触検知部１７、発振回路３３、赤外線ＬＥＤ３１、光検出部３２、及び制御部１０４が一体に、かつ扉２の外面２３に取り付け可能に収容されている。錠機構１０２は、駆動部１２１（図４）と駆動キー１２２とを備え、扉２を解錠及び施錠する。錠機構１０２は、解錠機構及び施錠機構の一例に相当している。
【００６７】
筐体１０の、扉２への取付面側からは、錠側係合部２２５と係合する駆動キー１２２（係合部）が突出している。駆動キー１２２は、後述する駆動部１２１により回動される。筐体１０には、第二ハンドル１２の軸部２１が貫通する貫通孔１３が形成されている。錠側係合部２２５には、駆動キー１２２と嵌合して係合するための溝部２２６が形成されている。
【００６８】
これにより、扉２に錠制御ユニット１を密着させ、駆動キー１２２を溝部２２６に挿入して駆動キー１２２に錠側係合部２２５を係合させた状態で、第二ハンドル１２の軸部２１を貫通孔１３及びシャフト貫通穴２２４に貫通させ、軸部２１の先端部すなわちシャフト２１２の先端部を嵌合穴２１５に挿入することで、第一ハンドル１１、第二ハンドル１２及び錠制御ユニット１が扉２に取り付けられるようになっている。嵌合部２１４の側面には、ボルト２１６を挿入可能なネジ穴２１７が形成されている。シャフト２１２の先端部を嵌合穴２１５に挿入し、ネジ穴２１７にボルト２１６を螺嵌することによって、シャフト２１２が第一ハンドル１１に固定される。
【００６９】
第一ハンドル１１、第二ハンドル１２及び錠制御ユニット１が扉２に取り付けられた状態で、第一ハンドル１１、第二ハンドル１２が操作されると、軸部２１が回動し、その回動運動がハンドル取付部２２３によってラッチボルト２２１の直線運動に変換されて、ラッチボルト２２１が扉２内に引き込まれて扉２を開けることができるようにされている。
【００７０】
錠側係合部２２５には、通常はいわゆるシリンダーが取り付けられ、錠側係合部２２５は、シリンダーと係合するようになっている。シリンダーは、鍵が差し込まれる部分で、そのシリンダー用以外のキーでは回転しないようになっているものである。
【００７１】
シリンダーを取り付けるため、錠側係合部２２５には、シリンダーを取り付けるための取付機構が設けられている。そこで、錠制御ユニット１を備えていない通常の扉２から、シリンダーとハンドルとを取り外した後に扉２に錠制御ユニット１を取り付けることによって、既存の扉２に容易に錠制御ユニット１を取り付けることができる。
【００７２】
なお、一般に、扉の内側にはサムターンが取り付けられている。サムターンは、デッドボルトを出し入れするためのつまみである。扉の内側にも、サムターンと係合するための錠側係合部２２５が設けられている。従って、既存の扉２から内側のサムターンとハンドルとを取り外し、扉２に錠制御ユニット１を取り付けてサムターン用の錠側係合部２２５に駆動キー１２２を係合させることによって、既存の扉２の内側に錠制御ユニット１を取り付けてもよい。
【００７３】
筐体１０の上面の少なくとも一部は、水平方向に対して傾斜した傾斜面１５とされている。傾斜面１５にはコールドミラー１６が貼付されている。コールドミラー１６は、赤外線を透過し可視光を反射する鏡である。なお、図略の例えば赤外線ＬＥＤ（Light Emitting Diode）等で構成された赤外線照明を備え、赤外線によってユーザＵの目を照明するようにしてもよい。
【００７４】
筐体１０の内部には、コールドミラー１６を通してユーザＵの目を撮像するためのカメラ１０１（認証情報取得部）が配設されている。カメラ１０１は、例えばＣＭＯＳ（Complementary Metal Oxide Semiconductor）撮像素子やＣＣＤ（Charge Coupled Device）等の撮像素子と、この撮像素子に画像を結像するレンズとを用いて構成され、撮像部の一例に相当している。カメラ１０１は、撮像された画像を示す画像データを後述の制御部１０４へ出力する。
【００７５】
カメラ１０１の撮像方向Ａ、すなわちカメラ１０１のレンズの光軸方向は、水平方向よりも上方に傾斜している。上述したとおり、通常、錠制御ユニット１の位置よりも上方にユーザＵの目が位置するから、カメラ１０１の撮像方向Ａを、水平方向よりも上方に傾斜させて錠制御ユニット１の上方を撮影することで、ユーザＵの目を撮像することが容易となる。
【００７６】
また、ユーザＵは、コールドミラー１６に自分の目が写るようにすることで、適切な撮像位置に自分の目を位置させることができる。また、赤外光により撮像することで、虹彩の色の違いと関わりなく虹彩画像を撮像でき、虹彩認証の処理が容易となる。さらに、赤外光により照明するようにすれば、ユーザに眩しさを感じさせることなく照明することができる。錠制御ユニット１が備えるその他の構成要素については後述する。
【００７７】
なお、必ずしも扉２がデッドボルト２２２を備え、錠制御ユニット１がデッドボルト２２２を進退させて扉２の施錠、解錠を切り替える例に限らない。例えば、扉２はデッドボルト２２２を備えず、錠側係合部２２５によって受け付けられた駆動力によって、第二ハンドル１２を固定（ロック）したり第二ハンドル１２を回動自在（アンロック）したりするハンドルロック機構を備える構成としてもよい。
【００７８】
そして、錠機構１０２は、駆動キー１２２を駆動して第二ハンドル１２を動かせないように固定してラッチボルト２２１を扉２内に引き込めないようにすることで扉２を施錠し、駆動キー１２２を駆動して第二ハンドル１２の固定を解除して第二ハンドル１２の操作と連動してラッチボルト２２１を扉２内に引き込めるようにすることによって扉２を解錠する構成としてもよい。
【００７９】
あるいは、錠側係合部２２５によって受け付けられた駆動力によって、第二ハンドル１２とラッチボルト２２１との連動を遮断（ロック）する状態と、第二ハンドル１２とラッチボルト２２１とを連動させる（アンロック）させる状態とを切り替える切り替え機構を備える構成としてもよい。
【００８０】
そして、錠機構１０２は、駆動キー１２２を駆動して第二ハンドル１２とラッチボルト２２１との連動を遮断することによってラッチボルト２２１を扉２内に引き込めないようにすることで扉２を施錠し、駆動キー１２２を駆動して第二ハンドル１２とラッチボルト２２１とを連動させてラッチボルト２２１を扉２内に引き込めるようにすることによって扉２を解錠する構成としてもよい。
【００８１】
また、錠機構１０２は、扉２を施錠しなくてもよい。扉２は、例えば閉じられたときに自動的に施錠されるオートロック機構を備えていてもよく、錠機構１０２は、認証結果に応じて解錠のみを行う構成であってもよい。
【００８２】
図４は、本発明に係る電源制御システムの主に電気的構成の一例を概念的に示すブロック図である。図４に示す電源制御システム４は、錠制御ユニット１と電源制御装置６とを備えている。
【００８３】
錠制御ユニット１は、カメラ１０１、錠機構１０２、接触検知部１７、無線送信部１８、キャパシタ１８１、赤外線ＬＥＤ（Light Emitting Diode）３１（光源）、発振回路３３、光検出部３２、接続端子１１２、及び制御部１０４を備えている。錠機構１０２は、駆動部１２１と、駆動キー１２２とを含む。接触検知部１７は、プルダウン抵抗１７１、ＣＭＯＳ（Complementary Metal Oxide Semiconductor）インバータ１７２、及び保持回路１７３を含む。光検出部３２は、フォトダイオード３２１（変換部）、ハイパスフィルタ３２２、及びＡＣ／ＤＣコンバータ３２３を含む。
【００８４】
カメラ１０１、駆動部１２１、無線送信部１８、保持回路１７３、無線送信部１８、発振回路３３、及びＡＣ／ＤＣコンバータ３２３は、制御部１０４に接続されている。
【００８５】
駆動部１２１は、例えばモータやギヤ機構を用いて構成されている。駆動部１２１は、制御部１０４からの制御信号に応じて駆動キー１２２を回動させる。錠制御ユニット１が扉２に取り付けられていると、駆動キー１２２が錠側係合部２２５と係合しているので、駆動キー１２２の回動と連動して錠側係合部２２５が回動される。錠側係合部２２５の回動は図略の伝達機構によって直線運動に変換され、デッドボルト２２２が進退される。
【００８６】
デッドボルト２２２が進んで扉２の戸先２５から突出すると扉２が施錠され、デッドボルト２２２が退いて扉２の戸先２５に没入すると扉２が解錠される。すなわち錠機構１０２は、錠制御ユニット１が取り付けられた扉２の施錠と解錠とを切り替える。
【００８７】
接続端子１１２は、導電部材５によって第一ハンドル１１と導電接続されている。第一ハンドル１１は、例えば金属などの導電材料を用いて構成されている。接続端子１１２は、接触検知部１７と、無線送信部１８とに電気的に接続されている。より具体的には、接続端子１１２は、ＣＭＯＳインバータ１７２の入力端子に接続され、ＣＭＯＳインバータ１７２の入力端子は、プルダウン抵抗１７１によってプルダウンされ、グラウンドに接続されている。プルダウン抵抗１７１は、例えば１０ＭΩ程度の高抵抗とされている。また、接続端子１１２は、キャパシタ１８１を介して無線送信部１８の出力端子に接続されている。
【００８８】
保持回路１７３は、短時間のパルスやスパイク状の信号を、制御部１０４で検知可能な時間幅のパルス信号に変換する回路である。保持回路１７３としては、例えば単安定マルチバイブレータ回路を用いることができる。
【００８９】
図５は、導電部材５による接続構造を説明するための説明図である。図５（ａ）は、第一ハンドル１１と第二ハンドル１２とが分離された状態を示している。第一ハンドル１１には、第一把持部２１３と嵌合部２１４とを絶縁する絶縁部２１８が設けられている。絶縁部２１８は、例えば樹脂やセラミックなどの絶縁層により構成されている。
【００９０】
シャフト２１２は、例えば管状にされており、シャフト２１２内に導電部材５が挿通されている。導電部材５は、例えば針金状の導電部材により形成されている。導電部材５の先端部は、シャフト２１２の先端部から突出するようにされている。導電部材５の後端部は、シャフト２１２の後端付近から外部に引き出されている。導電部材５のシャフト２１２内に位置する部分は、絶縁被覆５１で覆われて、導電部材５とシャフト２１２とが絶縁されている。
【００９１】
図５（ｂ）は、第一ハンドル１１、第二ハンドル１２、及び錠制御ユニット１を、扉２に取り付けた状態を説明するための説明図である。図５（ｂ）に示すように、シャフト２１２の先端部は嵌合部２１４と嵌合して取り付けられ、シャフト２１２の先端部から突出した導電部材５の先端が、第一把持部２１３に当接して第一把持部２１３と導電部材５とが導通するようにされている。シャフト２１２の後端付近から外部に引き出された導電部材５の後端部が制御部１０４の接続端子１１２に接続されている。
【００９２】
これにより、絶縁部２１８によって、第一把持部２１３と第二把持部２１０とが絶縁され、導電部材５によって接触検知部１７及び無線送信部１８と第一把持部２１３とが電気的に接続され、絶縁部２１８によって接触検知部１７及び無線送信部１８と第二把持部２１０とが絶縁される。
【００９３】
第一ハンドル１１は、扉２の内側、すなわち室内に配設されるハンドルであるから、室内から外に出ようとするユーザは、扉２を開けるために第一ハンドル１１の第一把持部２１３を握る。人体が静電気帯電している場合、ユーザが第一把持部２１３に触れると、その帯電電圧、すなわち第一把持部２１３から得られる電気信号が、ユーザが触れた第一把持部２１３、導電部材５、及び接続端子１１２を介してＣＭＯＳインバータ１７２に入力される。
【００９４】
あるいは、人体は導電性を有するので、室内の電磁波の不要輻射、例えば交流電源の５０Ｈｚ又は６０Ｈｚの周波数を有する電磁波をユーザの体がアンテナとして受信し、その周波数を有する微弱な信号が、第一把持部２１３から得られる電気信号として、ユーザが握った第一把持部２１３、導電部材５、及び接続端子１１２を介してＣＭＯＳインバータ１７２に入力される。ＣＭＯＳインバータ１７２の入力はハイインピーダンスであり、プルダウン抵抗１７１も高抵抗にされているため、このような微弱な信号であってもＣＭＯＳインバータ１７２のスレッショルドレベルを超える充分な電圧が得られ、ＣＭＯＳインバータ１７２でパルス信号に変換されて保持回路１７３に入力される。
【００９５】
そしてこのパルス信号が、保持回路１７３で制御部１０４で検知可能な時間幅のパルス信号に変換される。この場合、保持回路１７３の出力信号は、ユーザが第一ハンドル１１に触れたことを示す検知信号となる。
【００９６】
これにより、接触検知部１７は、扉２の内側の第一ハンドル１１にユーザが触れたことを検出することができる。一方、扉２の外側の第二ハンドル１２は、絶縁部２１８によって第一ハンドル１１と絶縁されているので、第二ハンドル１２にユーザが触れても、接触検知部１７はユーザが触れたことを検出しない。
【００９７】
なお、接触検知部は、第一把持部２１３から得られる電気信号に基づいて、ユーザが第一把持部２１３に触れたことが検出できればよく、その検出方法としては、接触センサ又はタッチセンサ等として知られている種々の方式を用いることができる。
【００９８】
また、絶縁部２１８は、第一ハンドル１１と第二ハンドル１２とを絶縁できればよく、必ずしも絶縁部２１８を第一ハンドル１１に設ける例に限らない。例えば、絶縁部２１８を、シャフト２１２と取付部２１１の間に設けてもよい。あるいは、絶縁部２１８を、取付部２１１と第二把持部２１０の間に設けてもよい。あるいは、嵌合部２１４を絶縁材料で構成し、嵌合部２１４を絶縁部として用いてもよい。
【００９９】
また、絶縁部２１８を設けず、例えば第二把持部２１０及び軸部２１のうち少なくとも一つを、絶縁材料を用いて構成してもよい。また、シャフト２１２及び取付部２１１のうちいずれか一方を絶縁材料から構成することによって、軸部２１を、絶縁材料を用いて構成するようにしてもよい。
【０１００】
また、絶縁部２１８及び導電部材５を備えず、軸部２１における少なくともシャフト２１２を導電性の部材とし、第二把持部２１０を絶縁性の材料を用いて構成し、さらにシャフト２１２と接続端子１１２とを導通させることによって、第一ハンドル１１と接触検知部１７とを電気的に接続するようにしてもよい。
【０１０１】
無線送信部１８は、キャパシタ１８１、接続端子１１２、及び導電部材５を介して第一ハンドル１１の第一把持部２１３に電気的に接続されている。無線送信部１８は、制御部１０４からの制御信号に応じて無線周波数の信号を第一把持部２１３へ出力することにより、第一把持部２１３をアンテナとして機能させ、第一把持部２１３から電源制御装置６へ無線信号を送信させる。無線周波数としては、特定省電力無線に用いられる８００ＭＨｚ〜１ＧＨｚの周波数を好適に用いることができる。
【０１０２】
錠制御ユニット１は既存の扉２の外面２３に取り付けられているので、筐体１０内にアンテナを設けると、室内の電源制御装置６へ無線信号を送信するためには扉２を通過することによる減衰量を補うように、無線信号の強度を高める必要がある。室外のアンテナから出力される無線信号の強度を高めると、本来無線信号を送信する必要のない室外空間や他の部屋に届く不要な無線信号の強度が高まることとなり好ましくない。
【０１０３】
一方、電源制御システム４によれば、既存の扉２の外面２３に取り付けられ、すなわち部屋の外側に位置する錠制御ユニット１が、部屋の内側に位置する第一把持部２１３をアンテナとして機能させることができる。その結果、室外にアンテナを設けた場合よりも電源制御装置６へ送信する無線信号強度を弱くすることができる。第一把持部２１３から出力される無線信号強度を弱くすると、消費電力の低減が可能であり、かつ室外や他の部屋に届く無線信号は扉２で減衰されてさらに弱くなるので、消費電力低減及び第三者への妨害電波低減の観点でも好ましい。
【０１０４】
無線送信部１８としては、所定の周波数信号を出力する発振回路の他、種々の無線送信用の回路を用いることができる。
【０１０５】
発振回路３３は、制御部１０４から出力されたオンオフ信号に応じて、オンオフ信号がオンのとき、１２０Ｈｚより高い点滅周波数、例えば１ｋＨｚ〜１０ＫＨｚ程度の点滅周波数の周波数信号を、赤外線ＬＥＤ３１へ出力する。具体的には、発振回路３３は、制御部１０４からオフ信号が出力されたとき赤外線ＬＥＤ３１を消灯させ、制御部１０４からオン信号が出力されたとき、上記周波数信号を出力して赤外線ＬＥＤ３１をその周波数で点滅させる。
【０１０６】
なお、発振回路３３は、制御部１０４からの信号にかかわらず、常時周波数信号を赤外線ＬＥＤ３１へ出力して赤外線ＬＥＤ３１を点滅周波数で点滅させてもよい。点滅周波数で赤外線ＬＥＤ３１から放射された赤外線光は、扉２が閉じていれば、扉枠２６に取り付けられたストライク２７で反射する。
【０１０７】
図６、図７は、扉２の開閉状態の検知方法を説明するための説明図である。図６は扉２が閉じている状態を示し、図７は扉２が開いている状態を示している。
【０１０８】
赤外線ＬＥＤ３１及びフォトダイオード３２１は、筐体１０の戸先２５側側面に配設され、戸先２５側に向かって、外面２３に沿い、かつ外面２３に近接して赤外光を放射する。赤外線ＬＥＤ３１は、扉２が閉じたときにストライク２７が位置する方向へ赤外線光を放射する。
【０１０９】
赤外線ＬＥＤ３１から放射される赤外線光Ｂの中心は、外面２３と略平行に、かつ外面２３からの距離Ｌが、１ｃｍ以下、より好ましくは５ｍｍ以下にされている。赤外線ＬＥＤ３１及びフォトダイオード３２１は、上下方向において、扉２の戸先２５にラッチボルト２２１が設けられている位置に取り付けられている。
【０１１０】
通常、一般的に、扉２が取り付けられる壁面の戸先２５側の扉枠２６には、扉を閉めるときにラッチボルト２２１がスムーズに扉２内に退避するように、かつラッチボルト２２１が扉枠２６に当たって扉枠２６が傷つかないように、ラッチボルト２２１の上下方向の位置に合わせてストライク２７が取り付けられている。
【０１１１】
ストライク２７は、略矩形状の金属板であって、その端縁が鈍角又はＲ形状で折り曲げられて先端ガイド部２７２とされている。ストライク２７は、先端ガイド部２７２が扉枠２６の端面から、扉２が開く側に水平方向に先端ガイド部２７２が突出する向きに取り付けられている。先端ガイド部２７２は、扉２から離れる方向に曲げられている。また、ストライク２７には、ラッチボルト２２１を受け入れるストライク孔２７１が形成されている。
【０１１２】
図６に示すように、扉２が閉じた状態では、赤外線ＬＥＤ３１から放射される赤外線光Ｂは、ストライク２７の先端ガイド部２７２に当たって反射し、その反射光Ｃがフォトダイオード３２１で受光される。
【０１１３】
フォトダイオード３２１は、受光した反射光Ｃを電気信号に変換し、ハイパスフィルタ３２２へ出力する。ハイパスフィルタ３２２は、赤外線ＬＥＤ３１から出力された赤外線光Ｂの点滅周波数をＡＣ／ＤＣコンバータ３２３へ通過させる。ハイパスフィルタ３２２の遮断周波数は、１２０Ｈｚ以上であって、かつ赤外線光Ｂの点滅周波数よりも低い周波数にされている。
【０１１４】
これにより、ハイパスフィルタ３２２は、反射光Ｃがフォトダイオード３２１で受光されて得られた電気信号を通過させる。
【０１１５】
ＡＣ／ＤＣコンバータ３２３は、ハイパスフィルタ３２２から出力された交流信号を直流信号に変換し、反射光Ｃの検出信号として制御部１０４へ出力する。ＡＣ／ＤＣコンバータ３２３としては、いわゆる整流回路を用いることができる。
【０１１６】
フォトダイオード３２１は、太陽光や照明光を受光する場合がある。しかしながら、このような太陽光や照明光は、通常、ハイパスフィルタ３２２の遮断周波数より高い点滅の周波数成分を有さないので、このような光がフォトダイオード３２１で受光された場合であっても、その出力信号はハイパスフィルタ３２２で遮断される。照明光の中でも、蛍光灯の場合は、商用交流周波数の２倍、１００Ｈｚ又は１２０Ｈｚで点滅する。しかしながら、ハイパスフィルタ３２２の遮断周波数は１２０Ｈｚ以上にされており、１２０Ｈｚ以下の周波数を遮断するので、光検出部３２は、蛍光灯の光を誤って検出することが防止される。
【０１１７】
一方、図７に示すように、扉２が開いた状態では、赤外線ＬＥＤ３１から放射される赤外線光Ｂは、ストライク２７に当たらないため、その反射光がフォトダイオード３２１で受光されることがない。従って、光検出部３２から制御部１０４へ検出信号が出力されることがない。
【０１１８】
このようにして、発振回路３３、赤外線ＬＥＤ３１、及び光検出部３２によれば、扉２の開閉状態を表す反射光Ｃの検出信号を制御部１０４へ出力することができる。
【０１１９】
制御部１０４は、例えば、所定の演算処理を実行するＣＰＵ（Central Processing Unit）、データを一時的に記憶するＲＡＭ（Random Access Memory）、所定の制御プログラムやデータを記憶する不揮発性の記憶装置、タイマ回路、及びこれらの周辺回路等を備えている。記憶装置は、虹彩認証の判定を行うための判定基準となる基準情報を記憶する記憶部１４６としても機能する。また、制御部１０４は、所定の制御プログラムを実行することによって、開閉検知部１４１、オートロック制御部１４２、画像処理部１４３、認証部１４４、及び錠制御部１４５として機能する。
【０１２０】
開閉検知部１４１は、光検出部３２による光の検出の有無を示す検出信号に基づいて扉２の開閉状態を検知する。すなわち開閉検知部１４１は、光検出部３２から検出信号が出力されたとき、扉２が閉まっていることを検知する。
【０１２１】
オートロック制御部１４２は、接触検知部１７によってユーザが第一把持部２１３に触れたことが検出されたとき、錠機構１０２によってデッドボルト２２２を退避させて扉２を解錠させる。また、オートロック制御部１４２（制御部）は、開閉検知部１４１によって扉２が閉まっていることが検知されたとき、錠機構１０２によりデッドボルト２２２を突出させて扉２を施錠させる。
【０１２２】
なお、オートロック制御部１４２は、開閉検知部１４１によって扉２が閉まっていることが、予め設定された監視時間以上継続して検知されたとき、錠機構１０２によりデッドボルト２２２を突出させて扉２を施錠させる構成としてもよい。監視時間は、例えば１秒程度とすることができる。監視時間を設けることで、ユーザが誤って扉２を閉めてしまった場合に、監視時間以内であれば扉２を開けることができるので、いわゆる締め出しを防止することができる。
【０１２３】
画像処理部１４３は、カメラ１０１によって撮像された画像から、公知の画像認識技術により虹彩の画像を抽出し、認証部１４４へ出力する。画像処理部１４３は、虹彩の画像から特徴データを抽出し、その特徴データを認証部１４４へ出力してもよい。
【０１２４】
認証部１４４は、画像処理部１４３から出力された虹彩の画像又はその特徴データに基づき、公知の虹彩認証技術により虹彩認証を実行する。具体的には、認証部１４４は、画像処理部１４３から送られてきた虹彩の画像、又はその画像から得られた特徴データを、記憶部１４６に記憶されている基準情報と照合することによって、虹彩認証を実行する。認証部１４４は、認証情報取得部（カメラ１０１）で取得された認証情報に基づく認証結果を取得する認証結果取得部の一例に相当している。
【０１２５】
なお、錠制御ユニット１は、必ずしも認証部１４４及び記憶部１４６を備える例に限らない。認証部１４４及び記憶部１４６を、外部のサーバ装置等から構成された認証装置に備えてもよい。そして、錠制御ユニット１は認証部１４４及び記憶部１４６の代わりに、認証装置と有線又は無線により通信を行うことによって認証装置から認証結果を取得する通信回路を認証結果取得部の一例として備えてもよい。そして、通信回路が、画像処理部１４３で得られた虹彩の画像、又はその画像から得られた特徴データを認証装置へ送信し、通信回路が認証装置からその認証結果を受信することによって、認証情報に基づく認証結果を取得する構成としてもよい。
【０１２６】
また、画像処理部１４３、認証部１４４、及び記憶部１４６を、外部のサーバ装置等から構成された認証装置に備えてもよい。そして、錠制御ユニット１は画像処理部１４３、認証部１４４、及び記憶部１４６の代わりに認証装置と有線又は無線により通信を行う通信回路を認証結果取得部の一例として備えてもよい。そして、通信回路が、カメラ１０１によって撮像された画像を認証装置へ送信し、通信回路が認証装置からその認証結果を受信することによって、認証情報に基づく認証結果を取得する構成としてもよい。
【０１２７】
錠制御部１４５（制御部）は、認証が成功すると、駆動部１２１を駆動して駆動キー１２２を回動させ、扉２を解錠させる。これにより、認証に成功したユーザが扉２を開けることが可能になる。
【０１２８】
また、錠制御部１４５は、認証が成功すると、開閉検知部１４１による扉２の開閉検知結果に基づいて無線送信部１８へ制御信号を出力し、無線送信部１８によって、第一ハンドル１１から電源制御装置６へ第一無線信号を送信させる。第一無線信号は、電源制御装置６へ、室内の電源オンを要求する信号として予め設定されている。
【０１２９】
また、錠制御部１４５は、接触検知部１７によってユーザが第一把持部２１３に触れたことが検知されたとき、開閉検知部１４１による扉２の開閉検知結果に基づいて無線送信部１８へ制御信号を出力し、無線送信部１８によって、第一ハンドル１１から電源制御装置６へ第二無線信号を送信させる。第二無線信号は、第一無線信号とは異なる信号であり、電源制御装置６へ、室内の電源オフを要求する信号として予め設定されている。
【０１３０】
図８は、図２に示す電源制御装置６の構成の一例を示すブロック図である。図８に示す電源制御装置６は、アンテナ６１、無線通信回路６２（受信部）、電源制御部６３、及びスイッチ部６４を備えている。
【０１３１】
扉２が取付られた部屋の室内には、室内電気機器６６が設けられている。室内電気機器６６は、室内の照明や、室内の電源コンセント等である。室内電気機器６６は、電源配線６５及びスイッチ部６４を介して、商用交流電源ＡＣと接続されている。
【０１３２】
アンテナ６１は、無線信号を受信するアンテナである。無線通信回路６２は、アンテナ６１を介して第一及び第二無線信号を受信する無線通信回路である。スイッチ部６４は、例えばトライアックやリレーなどのスイッチング素子である。電源制御部６３は、例えばマイクロコンピュータや論理回路等により構成されている。電源制御部６３は、無線通信回路６２によって第一無線信号が受信されたときスイッチ部６４をオンさせ、無線通信回路６２によって第二無線信号が受信されたときスイッチ部６４をオフさせる。
【０１３３】
次に、上述のように構成された錠制御ユニット１及び電源制御システム４の動作について説明する。図９は、錠制御ユニット１及び電源制御システム４の動作の一例を示すフローチャートである。ユーザが室内にいて、部屋を出ようとして第一ハンドル１１を握ると、接触検知部１７によってユーザが第一把持部２１３にタッチしたことが検知され、その検知信号が制御部１０４へ出力される（ステップＳ１）。
【０１３４】
検知信号が制御部１０４へ出力されると、オートロック制御部１４２は、錠機構１０２によってデッドボルト２２２を退避させて扉２を解錠させる（ステップＳ２）。これにより、部屋から出たいユーザは、サムターンを操作するなどの手動解錠操作を行うことなく、第一ハンドル１１を操作してラッチボルト２２１を退避させ、扉２を開いて外に出ることができる。
【０１３５】
オートロック制御部１４２は、扉２が解錠（ステップＳ２）されてから予め設定された開閉監視時間の間に、開閉検知部１４１によって扉２が開いたことが検知され（ステップＳ３でＹＥＳ）、その後に開閉検知部１４１によって扉２が閉じたことが検知されたとき（ステップＳ４でＹＥＳ）、錠機構１０２によってデッドボルト２２２を突出させて扉２を施錠させる（ステップＳ５）。開閉監視時間としては、通常、ユーザが第一ハンドル１１を握ってから扉２を開けるまでの時間が適宜設定されている。開閉監視時間は、例えば１秒とされている。
【０１３６】
次に、錠制御部１４５は、無線送信部１８によって室内の第一ハンドル１１から第二無線信号を送信させる（ステップＳ６）。そうすると、電源制御装置６によってスイッチ部６４がオフされ、室内電気機器６６への電力供給が遮断される。
【０１３７】
以上、ステップＳ１〜Ｓ５の処理により、部屋から外に出るときは解錠操作が不要で、扉２を閉めたら自動的に施錠されるいわゆるオートロックが可能となる。そして、錠制御ユニット１は、上述したように既存の扉２に容易に取り付けることができるから、既存の扉に対してオートロック機構を取り付けることが容易となる。
【０１３８】
また、ステップＳ４で扉２が閉じたとき（ステップＳ４でＹＥＳ）、ユーザが部屋の外に出たと考えられるので、ステップＳ１，Ｓ３，Ｓ４，Ｓ６の処理によれば、ユーザが部屋から外に出たときは、無人となった部屋の室内電気機器６６への電力供給が自動的に遮断されるので、不要な電力消費を低減し、省エネルギー化を図ることができる。
【０１３９】
一方、ステップＳ３において、錠機構１０２によって扉２が解錠されてから開閉監視時間の間に、開閉検知部１４１によって扉２が開いたことが検知されなかった場合（ステップＳ３でＮＯ）、ユーザは第一ハンドル１１を握っただけで扉２を開けなかったと考えられるので、扉２が解錠されたままになることを防止するべくオートロック制御部１４２は、錠機構１０２によってデッドボルト２２２を突出させて扉２を施錠させる（ステップＳ７）。
【０１４０】
ステップＳ３，Ｓ７によれば、ユーザが扉２を開けて部屋を出ようとして第一ハンドル１１を握った後、扉２を開けるのを止めた場合、扉２が施錠されるので、部屋のセキュリティが向上する。
【０１４１】
なお、ステップＳ３，Ｓ７では、錠機構１０２によって扉２が解錠されてから開閉監視時間の間に開閉検知部１４１によって扉２が開いたことが検知されなかった場合（ステップＳ３でＮＯ）に扉２を施錠する（ステップＳ７）例を示したが、オートロック制御部１４２は、錠機構１０２によって扉２が解錠されてから予め設定された接触監視時間の間、接触検知部１７によってユーザが第一把持部２１３に継続的に触れていることが検知されたとき、錠機構１０２によって扉２を施錠させるようにしてもよい。接触監視時間は、ユーザが扉２を開ける場合に通常第一ハンドル１１に触れている時間よりも長い時間を適宜設定することができる。接触監視時間は、例えば２秒以上とすることができる。
【０１４２】
ユーザが長時間第一ハンドル１１を握り続けている場合、扉２を開ける意思がないと考えられる。そこで、オートロック制御部１４２は、錠機構１０２によって扉２が解錠されてから接触監視時間の間、接触検知部１７によってユーザが第一把持部２１３に継続的に触れていることが検知されたときに錠機構１０２によって扉２を施錠させることにより、ユーザが扉２を開ける意思がない場合に扉２が施錠されるので、部屋のセキュリティが向上する。
【０１４３】
また、ステップＳ４を実行しなくても、ステップＳ３で扉２が開いた場合には、ユーザは部屋の外に出る可能性が高い。そこで、ステップＳ６の第二無線信号の送信を、ステップＳ３とステップＳ４の間で実行してもよい。あるいは、ユーザが第一ハンドル１１を握った時点でユーザは部屋の外に出る可能性が高いと考えられるから、ステップＳ６の第二無線信号の送信を、ステップＳ１とステップＳ３の間で実行してもよい。しかしながら、ステップＳ３の後にステップＳ６を実行した方が、ユーザが部屋を出てから電源オフすることの確実性が向上し、ステップＳ４の後にステップＳ６を実行した方が、ユーザが部屋を出てから電源オフすることの確実性がさらに向上する。
【０１４４】
あるいは、錠制御部１４５及び無線送信部１８を備えず、ステップＳ６を実行しなくてもよい。また、オートロック制御部１４２を備えず、ステップＳ５，Ｓ７を実行せず、ステップＳ２〜Ｓ６を錠制御部１４５が実行するようにしてもよい。
【０１４５】
図１０は、ユーザが扉２の外側から扉２を開こうとするときの錠制御ユニット１及び電源制御システム４の動作の一例を示すフローチャートである。例えば図１に示すように、扉２を開けようとするユーザが扉２の前に立ち、錠制御ユニット１のコールドミラー１６に自分の目が写るようにする。そうすると、カメラ１０１によってユーザの目が撮像される（ステップＳ１１）。錠制御ユニット１は、例えば錠制御ユニット１近傍で人体を検知する人感センサを備え、人感センサにより人体が検知されたときにカメラ１０１が撮像を行う構成としてもよい。
【０１４６】
次に、カメラ１０１によって撮像された撮像画像から、画像処理部１４３によって虹彩画像が抽出される（ステップＳ１２）。次に、認証部１４４は、記憶部１４６に記憶されている基準情報と、抽出された虹彩画像とに基づき、虹彩認証を実行する（ステップＳ１３）。
【０１４７】
そして、認証が成功した場合（ステップＳ１４でＹＥＳ）、錠制御部１４５は、駆動部１２１を駆動して扉２を解錠し（ステップＳ１５）、ステップＳ１６へ処理を移行する。一方、認証が失敗した場合（ステップＳ１４でＮＯ）、錠制御部１４５は、扉２を解錠することなく施錠状態を維持したまま処理を終了する。
【０１４８】
ステップＳ１６において、錠制御部１４５は、扉２が解錠（ステップＳ１５）されてから予め設定された開閉監視時間の間に、開閉検知部１４１によって扉２が開いたことが検知され（ステップＳ１６でＹＥＳ）、その後に開閉検知部１４１によって扉２が閉じたことが検知されたとき（ステップＳ１７でＹＥＳ）、錠機構１０２によってデッドボルト２２２を突出させて扉２を施錠させる（ステップＳ１８）。
【０１４９】
ステップＳ１６における開閉監視時間としては、通常、認証が成功してからユーザが第二ハンドル１２を握って扉２を開けるまでの時間が適宜設定されている。錠制御ユニット１は、認証が成功した場合、例えば図略のブザー、ＬＥＤ、表示装置等によって、音、光、メッセージ等で認証の成功をユーザに報知するようにされている。ステップＳ１６における開閉監視時間は、例えば３秒とされている。
【０１５０】
次に、錠制御部１４５は、無線送信部１８によって室内の第一ハンドル１１から第一無線信号を送信させる（ステップＳ１９）。そうすると、電源制御装置６によってスイッチ部６４がオンされ、室内電気機器６６への電力供給が開始されて、室内の照明が点灯されたり、電気機器が使用可能になったりする。
【０１５１】
ステップＳ１７で扉２が閉じたとき（ステップＳ１７でＹＥＳ）、ユーザが部屋の外から中に入ったと考えられるので、ステップＳ１１〜Ｓ１９の処理によれば、扉２の外でユーザが錠制御ユニット１によって虹彩認証を行うことで、認証が成功した場合に扉２が解錠され、ユーザが部屋に入って扉２を閉めたとき（ステップＳ１７でＹＥＳ）に自動的に扉２が施錠され（ステップＳ１８）、かつ室内電気機器６６を使用可能にできる（ステップＳ１９）オートロックシステムが実現される。
【０１５２】
一方、ステップＳ１６において、錠機構１０２によって扉２が解錠されてから開閉監視時間の間に、開閉検知部１４１によって扉２が開いたことが検知されなかった場合（ステップＳ１６でＮＯ）、ユーザは虹彩認証を行っただけで扉２を開けなかったと考えられるので、扉２が解錠されたままになることを防止するべく錠制御部１４５は、錠機構１０２によってデッドボルト２２２を突出させて扉２を施錠させる（ステップＳ２０）。
【０１５３】
ステップＳ１６，Ｓ２０によれば、ユーザが扉２を開けて部屋に入ろうとして虹彩認証を行った後、扉２を開けるのを止めた場合、扉２が施錠されるので、部屋のセキュリティが向上する。
【０１５４】
なお、ステップＳ１７を実行しなくても、ステップＳ１６で扉２が開いた場合には、ユーザは部屋の中に入る可能性が高い。そこで、ステップＳ１９の第一無線信号の送信を、ステップＳ１６とステップＳ１７の間で実行してもよい。あるいは、ユーザが虹彩認証を行った時点でユーザは部屋の中に入る可能性が高いと考えられるから、ステップＳ１９の第一無線信号の送信を、ステップＳ１４とステップＳ１６の間で実行してもよい。しかしながら、ステップＳ１６の後にステップＳ１９を実行した方が、ユーザが部屋に入るときに電源オンする確実性が向上し、ステップＳ１７の後にステップＳ１９を実行した方が、ユーザが部屋に入るときに電源オンする確実性がさらに向上する。
【０１５５】
また、錠制御ユニット１は、オートロック制御部１４２を備えず、ステップＳ１〜Ｓ７を実行しない構成であってもよい。
【０１５６】
また、錠制御ユニット１は、虹彩認証によりユーザを認証する虹彩認証装置として構成され、認証情報取得部としてユーザを認証するための認証情報である虹彩画像を撮像するカメラ１０１を備える例を示した。しかしながら、錠制御ユニット１がユーザを認証する方法は、虹彩認証に限られず、種々の認証方法を採用することができる。
【０１５７】
例えば、認証情報取得部としてユーザの指紋、静脈、又は顔画像などの生体情報を認証情報として取得するセンサを備え、認証部１４４は、これらの生体情報に基づき生体認証を行ってもよい。また、例えば認証情報取得部として暗証番号を認証情報として取得するキースイッチを備え、認証部１４４は、暗証番号に基づき認証を行ってもよい。
【符号の説明】
【０１５８】
１    錠制御ユニット
２    扉
４    電源制御システム
５    導電部材
６    電源制御装置
１０  筐体
１１  第一ハンドル
１２  第二ハンドル
１３  貫通孔
１５  傾斜面
１６  コールドミラー
１７  接触検知部
１８  無線送信部
２０  電気錠付扉
２１  軸部
２２  錠本体
２３  外面
２４  内面
２５  戸先
２６  扉枠
２７  ストライク
３１  赤外線ＬＥＤ（光源）
３２  光検出部
３３  発振回路
５１  絶縁被覆
６１  アンテナ
６２  無線通信回路（受信部）
６３  電源制御部
６４  スイッチ部
６５  電源配線
６６  室内電気機器
１０１      カメラ（認証情報取得部）
１０２      錠機構（解錠機構、施錠機構）
１０４      制御部
１１２      接続端子
１２１      駆動部
１２２      駆動キー（係合部）
１４１      開閉検知部
１４２      オートロック制御部（制御部）
１４３      画像処理部
１４４      認証部
１４５      錠制御部
１４６      記憶部
１７１      プルダウン抵抗
１７２      ＣＭＯＳインバータ
１７３      保持回路
１８１      キャパシタ
２０１      壁面
２１０      第二把持部
２１１      取付部
２１２      シャフト
２１３      第一把持部
２１４      嵌合部
２１５      嵌合穴
２１６      ボルト
２１７      ネジ穴
２１８      絶縁部
２２１      ラッチボルト
２２２      デッドボルト
２２３      ハンドル取付部
２２４      シャフト貫通穴
２２５      錠側係合部
２２６      溝部
２２７      ケース
２７１      ストライク孔
２７２      先端ガイド部
３２１      フォトダイオード（変換部）
３２２      ハイパスフィルタ
３２３      ＡＣ／ＤＣコンバータ
Ａ    撮像方向
ＡＣ  商用交流電源
Ｂ    赤外線光
Ｃ    反射光
Ｌ    距離
Ｕ    ユーザ
【図１】
2019206794.tif 000003
【図２】
2019206794.tif 000004
【図３】
2019206794.tif 000005
【図４】
2019206794.tif 000006
【図５】
2019206794.tif 000007
【図６】
2019206794.tif 000008
【図７】
2019206794.tif 000009
【図８】
2019206794.tif 000010
【図９】
2019206794.tif 000011
【図１０】
2019206794.tif 000012